(57)【特許請求の範囲】
【請求項１】
一対の開閉する把持腕を先端部に有する間接活線工具を用いて操作できると共に、電線又は電線を覆う絶縁シートを挟持可能な間接活線工事用クリップであって、
先端部が開閉できるように基端部を回動可能に連結し、前記電線又は前記絶縁シートを挟持可能な一対の帯板状の開閉部材と、
一対の前記開閉部材の先端部が閉じる方向に力を付勢する付勢部材と、を備え、
一方の前記開閉部材は、一対の前記把持腕が所定の開角を設けて閉じた状態で一方の当該把持腕の先端爪が当該開閉部材の基端部側から挿入可能な第１凹部を外壁の中間部に有し、
他方の前記開閉部材は、一対の前記把持腕が所定の開角を設けて閉じた状態で他方の当該把持腕の先端爪が当該開閉部材の基端部側から挿入可能な第２凹部を外壁の中間部に有し、
一対の前記把持腕の先端爪を前記第１凹部及び第２凹部に挿入して、一対の前記開閉部材の先端部が閉じた状態で、所定の開角を設けて閉じた一対の前記把持腕を開くと、一対の前記開閉部材の先端部が開く間接活線工事用クリップ。
【請求項２】
前記第１凹部は、
一方の前記先端爪の先端縁が当接する第１停止内壁と、
一方の前記先端爪の把持面の一部が当接する第１閉角内壁と、
一方の前記先端爪の把持面と反対面の一部が当接する第１開角内壁と、を有し、
前記第２凹部は、
他方の前記先端爪の先端縁が当接する第２停止内壁と、
他方の前記先端爪の把持面の一部が当接する第２閉角内壁と、
他方の前記先端爪の把持面と反対面の一部が当接する第２開角内壁と、を有し、
一対の前記開閉部材が前記電線又は前記絶縁シートを挟持した状態で、一対の前記把持腕が離脱できるように、少なくとも、前記第２閉角内壁と前記第２開角内壁は、所定の間隙を設けている請求項１記載の間接活線工事用クリップ。
【請求項３】
一方の前記把持腕が固定腕からなり、他方の前記把持腕が可動腕からなる請求項１又は２記載の間接活線工事用クリップ。
【請求項４】
前記付勢部材は、一対の前記把持腕を開く力より一対の前記開閉部材の先端部を閉じる力を弱く設定している請求項１から３のいずれかに記載の間接活線工事用クリップ。
【請求項５】
前記付勢部材は、一対の前記開閉部材の基端部に配置された捩じりコイルばねからなる請求項１から４のいずれかに記載の間接活線工事用クリップ。
【発明の詳細な説明】
【技術分野】
【０００１】
本発明は、間接活線工事用クリップに関する。特に、絶縁操作棒などを用いて、無停電状態の高圧配電線を間接的に活線工事できる間接活線工事用クリップの構造に関する。
【背景技術】
【０００２】
間接活線工事用クリップは、絶縁操作棒などの間接活線工具に連結されて操作され、例えば、充電中の高圧配電線に被せた絶縁シートが間接活線工事中に高圧配電線から離脱しないように、把持できる。そして、間接活線工事用クリップは、絶縁シートを高圧配電線に仮固定することができる。
【０００３】
このような間接活線工事用クリップとしては、絶縁操作棒の先端部に設けた、一対の開閉する把持腕で間接活線工事用クリップの把持部を閉じようとすると、間接活線工事用クリップの把持部が滑って、把持腕に対して、間接活線工事用クリップが回動又は位置ずれが発生する障害を解消した間接活線工事用クリップが開示されている（例えば、特許文献１参照）。
【先行技術文献】
【特許文献】
【０００４】
【特許文献１】特開２０１０−２６３７５３号公報
【発明の概要】
【発明が解決しようとする課題】
【０００５】
図８は、特許文献１による間接活線工事用クリップの正面図である。本願の図８は、特許文献１の図４に相当している。図８を参照すると、特許文献１による間接活線工事用クリップ（以下、クリップと略称する）８は、一対の帯板状の開閉部材８１・８１と捩じりコイルばね８２で構成している。一対の開閉部材８１・８１は、捩じりコイルばね８２の回動中心８２ｆを支点として回動自在に連結している。
【０００６】
図８を参照すると、開閉部材８１は、電線Ｗ又は電線Ｗを覆う絶縁シートＳを挟持する挟持部８１ａを有している。挟持部８１ａは、回動中心８２ｆを略境界として先端部に至っている。これらの挟持部８１ａ・８１ａは、捩じりコイルばね８２に付勢されて、通常、閉じている。又、開閉部材８１は、一対の挟持部８１ａ・８１ａを開閉するための把持部８１ｂを有している。把持部８１ｂは、回動中心８２ｆを略境界として基端部に至っている。捩じりコイルばね８２の閉じる力に抗して、一対の把持部８１ｂ・８１ｂを閉じると、一対の挟持部８１ａ・８１ａを開くことができる。
【０００７】
図８を参照すると、挟持部８１ａは、半径の異なる複数の円弧溝８１１を内壁に形成している。これらの円弧溝８１１は、基端部側に向かって半径が小さくなっている。一対の挟持部８１ａ・８１ａを開いて、電線Ｗを包む絶縁シートＳを先端側の円弧溝８１１に導入した後に、一対の挟持部８１ａ・８１ａを閉じると、電線Ｗ又は電線Ｗを覆う絶縁シートＳを仮固定することができる。
【０００８】
図８を参照すると、把持部８１ｂは、台形状に穿設された把持溝８１２を外壁に形成している。一方、図示しない絶縁操作棒９は、一対の開閉する把持腕９ａ・９ｂを先端部に設けている。そして、一対の把持腕９ａ・９ｂには、把持溝８１２に嵌合する方形状の爪部９２を対向するように突出している。
【０００９】
図８を参照すると、クリップ８は、一対の把持腕９ａ・９ｂに設けた爪部９２を把持部８１ｂの把持溝８１２に嵌合させることで、把持腕９ａ・９ｂに対して、クリップ８の回動又は位置ずれを防止できる。
【００１０】
一般に、図８に示されたような一対の把持腕９ａ・９ｂは、通常、開いている。そして、図示しない絶縁操作棒９の手許部に設けた操作レバーを握ることで、一対の把持腕９ａ・９ｂを閉じることができる。操作レバーを解放することで、一対の把持腕９ａ・９ｂを開くことができる。
【００１１】
図８を参照して、高所に配置された絶縁シートＳをクリップ８で仮固定する場合には、予め、操作レバーを握って、一対の把持腕９ａ・９ｂにクリップ８を保持しておく。そして、絶縁操作棒９を操作して、クリップ８を電線Ｗに近づける。次に、一対の挟持部８１ａ・８１ａを開いて、内部に電線Ｗを包む絶縁シートＳを導入した後に、操作レバーを解放することで、一対の挟持部８１ａ・８１ａを閉じて、電線Ｗ又は電線Ｗを覆う絶縁シートＳを仮固定することができる。
【００１２】
このように、従来の間接活線工事用クリップは、絶縁操作棒の操作レバーを握った状態を維持しながら、間接活線工事用クリップを電線に近づける必要があるので、絶縁操作棒の操作性に優れないものとなっている。絶縁操作棒の操作性に優れた間接活線工事用クリップが求められている。そして、以上のことが本発明の課題といってよい。
【００１３】
本発明は、このような問題に鑑みてなされたものであり、電線又は電線を覆う絶縁シートを容易に挟持できる操作性に優れた間接活線工事用クリップを提供することを目的とする。
【課題を解決するための手段】
【００１４】
本発明者は、絶縁操作棒の先端部に設けた一対の把持腕は、通常、開く状態に力が働いていることに着目し、絶縁操作棒の手許部に設けた操作レバーを握ることで、一対の把持腕の先端爪が挿入可能な凹部を一対の開閉部材の外壁に設け、操作レバーを解放して、一対の開閉部材が開いた状態を維持することにより、これらの課題が解決可能なことを見出し、これに基づいて、以下のような新たな間接活線工事用クリップを発明するに至った。
【００１５】
（１）本発明による間接活線工事用クリップは、一対の開閉する把持腕を先端部に有する間接活線工具を用いて操作できると共に、電線又は電線を覆う絶縁シートを挟持可能な間接活線工事用クリップであって、先端部が開閉できるように基端部を回動可能に連結し、前記電線又は前記絶縁シートを挟持可能な一対の帯板状の開閉部材と、一対の前記開閉部材の先端部が閉じる方向に力を付勢する付勢部材と、を備え、一方の前記開閉部材は、一対の前記把持腕が所定の開角を設けて閉じた状態で一方の当該把持腕の先端爪が当該開閉部材の基端部側から挿入可能な第１凹部を外壁の中間部に有し、他方の前記開閉部材は、一対の前記把持腕が所定の開角を設けて閉じた状態で他方の当該把持腕の先端爪が当該開閉部材の基端部側から挿入可能な第２凹部を外壁の中間部に有し、一対の前記把持腕の先端爪を前記第１凹部及び第２凹部に挿入して、一対の前記開閉部材の先端部が閉じた状態で、所定の開角を設けて閉じた一対の前記把持腕を開くと、一対の前記開閉部材の先端部が開く。
【００１６】
（２）前記第１凹部は、一方の前記先端爪の先端縁が当接する第１停止内壁と、一方の前記先端爪の把持面の一部が当接する第１閉角内壁と、一方の前記先端爪の把持面と反対面の一部が当接する第１開角内壁と、を有し、前記第２凹部は、他方の前記先端爪の先端縁が当接する第２停止内壁と、他方の前記先端爪の把持面の一部が当接する第２閉角内壁と、他方の前記先端爪の把持面と反対面の一部が当接する第２開角内壁と、を有し、一対の前記開閉部材が前記電線又は前記絶縁シートを挟持した状態で、一対の前記把持腕が離脱できるように、少なくとも、前記第２閉角内壁と前記第２開角内壁は、所定の間隙を設けていることが好ましい。
【００１７】
（３）一方の前記把持腕が固定腕からなり、他方の前記把持腕が可動腕からなることが好ましい。
【００１８】
（４）前記付勢部材は、一対の前記把持腕を開く力より一対の前記開閉部材の先端部を閉じる力を弱く設定していることが好ましい。
【００１９】
（５）前記付勢部材は、一対の前記開閉部材の基端部に配置された捩じりコイルばねからなることが好ましい。
【発明の効果】
【００２０】
本発明による間接活線工事用クリップは、一対の把持腕の先端爪を第１凹部及び第２凹部に挿入して操作レバーを解放すると、一対の開閉部材の先端部が開いた状態で、電線にアプローチできるので、操作性に優れている。
【図面の簡単な説明】
【００２１】
【図１】本発明の一実施形態による間接活線工事用クリップの構成を示す図であり、図１（Ａ）は正面図、図１（Ｂ）は平面図、図１（Ｃ）は左側面図、図１（Ｄ）は右側面図である。
【図２】前記実施形態による間接活線工事用クリップの構成を示す正面図であり、一対の開閉部材が開いた状態図である。
【図３】前記実施形態による間接活線工事用クリップの構成を示す斜視分解組立図である。
【図４】前記実施形態による間接活線工事用クリップを把持するための絶縁操作棒の正面図であり、図４（Ａ）は、絶縁操作棒の基端部側を示し、図４（Ｂ）は、絶縁操作棒の先端部側を示している。
【図５】前記実施形態による間接活線工事用クリップを把持するための絶縁操作棒の先端部を拡大した正面図である。
【図６】前記実施形態による間接活線工事用クリップの使用状態を示す正面図であり、一対の開閉部材が閉じた状態図である。
【図７】前記実施形態による間接活線工事用クリップの使用状態を示す正面図であり、一対の開閉部材が開いた状態図である。
【図８】従来技術による間接活線工事用クリップの正面図である。
【発明を実施するための形態】
【００２２】
以下、図面を参照して本発明を実施するための形態を説明する。
［間接活線工事用クリップの構成］
最初に、本発明の一実施形態による間接活線工事用クリップの構成を説明する。
【００２３】
図１は、本発明の一実施形態による間接活線工事用クリップの構成を示す図であり、図１（Ａ）は正面図、図１（Ｂ）は平面図、図１（Ｃ）は左側面図、図１（Ｄ）は右側面図である。図２は、前記実施形態による間接活線工事用クリップの構成を示す正面図であり、一対の開閉部材が開いた状態図である。図３は、前記実施形態による間接活線工事用クリップの構成を示す斜視分解組立図である。
【００２４】
図１を参照して、本発明の一実施形態による間接活線工事用クリップ（以下、クリップと略称する）１０は、電線Ｗ又は電線Ｗを覆う絶縁シートＳを挟持できる（図６参照）。又、クリップ１０は、後述する間接活線工具となる絶縁操作棒７０（図４参照）を用いて、操作できる。
【００２５】
図１から図３を参照すると、クリップ１０は、一対の帯板状の開閉部材１・２と付勢部材となる捩じりコイルばね３を備えている。一対の開閉部材１・２は、絶縁性を有する硬質の合成樹脂からなり、長尺の帯板状に成形している。一対の開閉部材１・２は、先端部が開閉できるように基端部を回動可能に連結している。又、一対の開閉部材１・２は、それらの内壁で電線Ｗ又は絶縁シートＳを挟持できる（図７参照）。
【００２６】
図１から図３を参照すると、一対の開閉部材１・２は、それらの基端部を分割可能に段差を設けている。一方の開閉部材１は、軸穴１ｈを基端部に開口している（図３参照）。他方の開閉部材２は、軸穴２ｈを基端部に開口している（図３参照）。軸穴１ｈと軸穴２ｈを一致させた後に、連結ピン３１を挿通することで、一対の開閉部材１・２を互いに回動可能に連結できる。
【００２７】
図１から図３を参照すると、連結ピン３１は、頭部にフランジを有し、連結ピン３１の先端部にリング部材３２を接合することで、一対の開閉部材１・２の離反を規制できる。更に、一対の開閉部材１・２は、爪部１ｎ・２ｎを基端部に有している。これらの爪部１ｎ・２ｎが相手側の開閉部材１・２の斜面部にそれぞれ当接することで、一対の開閉部材１・２の最大開角を規定できる。
【００２８】
図１から図３を参照すると、捩じりコイルばね３は、一対の開閉部材１・２の基端部に内装されている。捩じりコイルばね３は、一対の開閉部材１・２の先端部が閉じる方向に力を付勢している。そして、捩じりコイルばね３の付勢力に抗して、一対の開閉部材１・２の先端部を開くことができる（図３又は図７参照）。一方、捩じりコイルばね３に付勢されて、一対の開閉部材１・２の先端部を閉じることができる（図１又は図６参照）。
【００２９】
図１から図３を参照すると、一方の開閉部材１は、半径の異なる大小の円弧溝１１ｒ・１２ｒを内壁に形成している。同様に、他方の開閉部材２は、半径の異なる大小の円弧溝２１ｒ・２２ｒを内壁に形成している。円弧溝１１ｒと円弧溝２１ｒの間に、比較的外径の大きい電線Ｗを導入して、一対の開閉部材１・２を閉じることで、この電線Ｗを挟持できる。一方、円弧溝２１ｒと円弧溝２２ｒの間に、比較的外径の小さい電線Ｗを導入して、一対の開閉部材１・２を閉じることで、この電線Ｗを挟持できる。
【００３０】
図１から図３を参照すると、一方の開閉部材１は、直方体状の第１突部１３を外壁の中間部に形成している。第１突部１３には、後述する一方の把持腕７ａの先端爪７１ａ（図５参照）が挿入可能な第１凹部１３ｈを設けている。第１凹部１３ｈは、一方の開閉部材１の基端部側に向かって開口している。
【００３１】
同様に、図１から図３を参照すると、他方の開閉部材２は、直方体状の第２突部２３を外壁の中間部に形成している。第２突部２３には、後述する他方の把持腕７ｂの先端爪７１ｂ（図５参照）が挿入可能な第２凹部２３ｈを設けている。第２凹部２３ｈは、他方の開閉部材２の基端部側に向かって開口している。
【００３２】
（絶縁操作棒の構成）
次に、実施形態によるクリップ１０を把持するための絶縁操作棒の構成を説明する。図４は、前記実施形態による間接活線工事用クリップを把持するための絶縁操作棒の正面図であり、図４（Ａ）は、絶縁操作棒の基端部側を示し、図４（Ｂ）は、絶縁操作棒の先端部側を示している。図５は、前記実施形態による間接活線工事用クリップを把持するための絶縁操作棒の先端部を拡大した正面図である。
【００３３】
図４又は図５を参照すると、間接活線工具となる絶縁操作棒７０（いわゆる、絶縁ヤットコ）は、長尺の操作棒７１と把持工具７２で構成している。把持工具７２は、操作棒７１の先端部に着脱自在に取り付けられている。又、絶縁操作棒７０は、作動棒７３を備えている。絶縁操作棒７０は、操作棒７１及び作動棒７３の中間部が絶縁性を有するプラスチックパイプなどで連結され、間接活線工法に好適なように、絶縁性が確保されている。
【００３４】
図４又は図５を参照すると、把持工具７２は、開閉する一対の湾曲した把持腕７ａ・７ｂで構成している。そして、一方の把持腕７ａは、基端部が固定された固定腕であり、他方の把持腕７ｂは、一方の把持腕７ａの基端部に設けた回動軸７ｃを中心に回動する可動腕となっている。
【００３５】
図４又は図５を参照すると、作動棒７３は、操作棒７１に沿って保持されている。作動棒７３の先端部は、他方の把持腕７ｂに回動可能に連結している。そして、作動棒７３の手許部に設けた操作レバー７４を操作すると、一方の把持腕７ａに対して、他方の把持腕７ｂを開閉できる。
【００３６】
図４を参照して、操作レバー７４を握って、操作レバー７４を操作棒７１に近づけると、一方の把持腕７ａに対して、他方の把持腕７ｂを閉じることができる。操作レバー７４を解放すると、操作レバー７４に連結したばね（図示せず）の力で、一方の把持腕７ａに対して、他方の把持腕７ｂを開くことができる。図４又は図５は、一方の把持腕７ａに対して、他方の把持腕７ｂが最大に開いた状態を示している。
【００３７】
図５を参照して、一方の把持腕７ａは、先細り状の先端爪７１ａを突出している。先端爪７１ａは、把持面７０ａを形成している。把持面７０ａは、操作棒７１の軸中心Ｑと略平行に配置されている。同様に、他方の把持腕７ｂは、先細り状の先端爪７１ｂを突出している。先端爪７１ｂは、把持面７０ｂを形成している。把持面７０ｂは、把持面７０ａと所定の開角を設けて配置されている。図４を参照して、操作レバー７４を握ると、把持面７０ｂを把持面７０ａに近づけることができる。そして、被把持物を把持できる。
【００３８】
［間接活線工事用クリップの作用］
次に、実施形態によるクリップ１０の構成を補足すると共に、クリップ１０の操作方法を説明しながら、クリップ１０の作用及び効果を説明する。
【００３９】
図６は、前記実施形態による間接活線工事用クリップの使用状態を示す正面図であり、一対の開閉部材が閉じた状態図である。図７は、前記実施形態による間接活線工事用クリップの使用状態を示す正面図であり、一対の開閉部材が開いた状態図である。
【００４０】
図６を参照して、クリップ１０を絶縁操作棒７０に取り付ける場合は、最初に、操作レバー７４を握って（図４参照）、一方の把持腕７ａに対して他方の把持腕７ｂを所定の開角に閉じる。
【００４１】
次に、図６を参照して、一対の開閉部材１・２が閉じた状態で、先端爪７１ａを第１凹部１３ｈに挿入すると共に、先端爪７１ｂを第２凹部２３ｈに挿入する。この場合、先端爪７１ａの先端縁が第１凹部１３ｈの第１停止内壁１３１に当接するまで、又は、先端爪７１ｂの先端縁が第２凹部２３ｈの第２停止内壁２３１に当接するまで、一対の先端爪７１ａ・７１ｂを第１凹部１３ｈ及び第２凹部２３ｈに挿入することが好ましい。
【００４２】
図６を参照すると、先端爪７１ａの把持面７０ａの一部が第１閉角内壁１３２に当接している（図１又は図２参照）。又、先端爪７１ｂの把持面７０ｂの一部が第２閉角内壁２３２に当接している。一対の先端爪７１ａ・７１ｂを第１凹部１３ｈ及び第２凹部２３ｈに挿入する過程では、第１閉角内壁１３２が一方の開閉部材１の外壁に連続していると共に、第２閉角内壁２３２が斜面となって把持面７０ｂに対向しているので、挿入が容易である。
【００４３】
図６に示された状態から、操作レバー７４を解放し（図４参照）、所定の開角を設けて閉じた一対の把持腕７ａ・７ｂを開くと、一方の先端爪７１ａの把持面７０ａと反対面の一部が第１開角内壁１３３に当接すると共に、他方の先端爪７１ｂの把持面７０ｂと反対面の一部が第２開角内壁２３３に当接して、一対の開閉部材１・２の先端部を開くことができる（図７参照）。この場合、捩じりコイルばね３は、一対の把持腕７ａ・７ｂを開く力より一対の開閉部材１・２の先端部を閉じる力を弱く設定している。
【００４４】
図７に示されるように、一対の開閉部材１・２の先端部を開いた状態を維持して、高所に配置された電線Ｗに向かってクリップ１０を移動できる。次に、一対の開閉部材１・２の間に電線Ｗ又は絶縁シートＳを導入し、操作レバー７４を握ることで（図４参照）、他方の先端爪７１ｂの把持面７０ｂが第２閉角内壁２３２側に移動し（図６参照）、一対の開閉部材１・２の先端部を閉じて、電線Ｗ又は絶縁シートＳを挟持できる。
【００４５】
図７に示された状態から、一対の開閉部材１・２が電線Ｗ又は絶縁シートＳを挟持すると、少なくとも、第２閉角内壁２３２と第２開角内壁２３３は、所定の間隙を設けているので、一対の把持腕７ａ・７ｂを離脱できる。
【００４６】
このように、実施形態によるクリップ１０は、一対の把持腕７ａ・７ｂの先端爪７１ａ・７１ｂを第１凹部１３ｈ及び第２凹部２３ｈに挿入して、操作レバー７４を解放すると、一対の開閉部材１・２の先端部が開いた状態で、電線Ｗにアプローチできるので、操作性に優れている。
【００４７】
本発明による間接活線工事用クリップは、次のような効果が奏される。
（１）クリップを絶縁操作棒に簡単の取り付けることができる。
（２）電線又は電線を覆う絶縁シートを確実に挟持できる。
（３）クリップを絶縁操作棒で把持するために、操作レバーを握る必要がない。
（４）操作レバーを解放した状態でクリップを移動でき、操作が容易である。
【００４８】
本発明は、絶縁操作棒などを用いて、無停電状態の高圧配電線を間接的に活線工事できる間接活線工事用クリップを開示したが、本発明のクリップは、間接活線工事用に限定されることなく、他の分野でも応用されることが期待される。
【符号の説明】
【００４９】
１・２  一対の開閉部材
３  捩じりコイルばね（付勢部材）
７ａ・７ｂ  一対の把持腕
１０  クリップ（間接活線工事用クリップ）
１３ｈ  第１凹部
２３ｈ  第２凹部
７０  絶縁操作棒（間接活線工具）
７１ａ  先端爪（把持腕７ａの先端爪）
７１ｂ  先端爪（把持腕７ｂの先端爪）
Ｓ  絶縁シート
Ｗ  電線
【要約】
【課題】操作性に優れた間接活線工事用クリップを提供する。
【解決手段】クリップ１０は、一対の開閉部材１・２と捩じりコイルばね３を備える。開閉部材１・２は、先端部が開閉できるように基端部を回動可能に連結している。又、開閉部材１・２は、それらの内壁で電線Ｗ又は絶縁シートＳを挟持できる。捩じりコイルばね３は、一対の開閉部材１・２の先端部が閉じる方向に力を付勢している。開閉部材１は、把持腕７ａの先端爪７１ａが挿入可能な第１凹部１３ｈを外壁に有する。開閉部材２は、把持腕７ｂの先端爪７１ｂが挿入可能な第２凹部２３ｈを外壁に有する。一対の先端爪７１ａ・７１ｂを第１凹部１３ｈ及び第２凹部２３ｈに挿入して、一対の開閉部材１・２の先端部が開いた状態で、一対の把持腕７ａ・７ｂを閉じると、一対の開閉部材１・２を閉じることができる。
【選択図】図７【図１】
0005461675.tif 000002
【図２】
0005461675.tif 000003
【図３】
0005461675.tif 000004
【図４】
0005461675.tif 000005
【図５】
0005461675.tif 000006
【図６】
0005461675.tif 000007
【図７】
0005461675.tif 000008
【図８】
0005461675.tif 000009